(57)【要約】【課題】  本発明は、迅速に作動ヘッド交換並びに角度変化を可能としたスパナを提供する。【解決手段】  一端に連接部があるグリップ１０と、それぞれ、作動部３６と連接部３８とがあり、前記連接部３８が前記グリップ１０の連接部と互いに嵌合できる形状になる１組の交換用作動ヘッド３４と、分離できるように前記作動ヘッド３４の連接部と前記グリップ１０の連接部とに設けられる結合部２０とを有し、前記作動ヘッド３４が迅速に交換され、作動ヘッド３４が前記グリップ１０に実装された後、結合部２０が回転軸として作用し、前記作動ヘッドが、前記回転軸を中心として、作業空間に応じて異なる角度に回転できる構成とした。【選択図】  図１
2007130752.tif 000002
【特許請求の範囲】
【請求項１】
一端に連接部があるグリップと、
それぞれ、作動部と連接部とがあり、前記連接部が、前記グリップの連接部と互いに嵌合できる形状である１組の交換のための作動ヘッドと、
分離できるように前記作動ヘッドの連接部と前記グリップの連接部とに設けられる結合部と、
を備えていることを特徴とする迅速に作動ヘッド交換並びに角度変化を可能としたスパナ。
【請求項２】
前記二つの連接部は、一つが、二つのほぼ並行のアームと前記二つのアームの間に位置する空間があるほぼ凹字状のブロックで、もう一つが、上記の空間に嵌入できるほぼ凸字状の柱体であることを特徴とする請求項１に記載の迅速に作動ヘッド交換並びに角度変化を可能としたスパナ。
【請求項３】
前記結合部は、前記二つのアームに設置されることを特徴とする請求項２に記載の迅速に作動ヘッド交換並びに角度変化を可能としたスパナ。
【請求項４】
前記二つのアームに、それぞれ、ピンホールが設けられ、鋼球が、前記空間に突出するようにピンホールのの内側に実装され、スプリングが、それぞれ、鋼球の外側に設けられ、前記結合部を形成するため、前記二つの鋼球の内側の距離が、二つのアームの空間の幅より小さい幅寸法であることを特徴とする請求項３に記載の迅速に作動ヘッド交換並びに角度変化を可能としたスパナ。
【請求項５】
前記二つのアームに、それぞれ、収納孔が設けられ、二つのモジュール結合部を直接に収納孔に螺着して、二つのモジュール結合部の鋼球が、それぞれ、空間に突出し、前記結合部を形成するため、前記二つの鋼球の内側の距離が、二つのアームの空間の幅より小さい幅寸法であることを特徴とする請求項３に記載の迅速に作動ヘッド交換並びに角度変化を可能としたスパナ。
【請求項６】
前記二つのアームに、それぞれ、収納孔が設けられ、前記収納孔に、それぞれ、先端が突出するブロックとスプリングが実装され、前記ブロックの後端に、それぞれ、前記スプリングを収納する凹槽が設けられ、前記結合部を形成するため、前記二つのブロックの突出する先端が、二つの収納孔から、前記空間に突出することを特徴とする請求項３に記載の迅速に作動ヘッド交換並びに角度変化を可能としたスパナ。
【請求項７】
前記ほぼ凸字状の柱体に、収納孔が設けられ、結合部が、前記収納孔に実装され、また、結合部の両端が、それぞれ、前記収納孔から突出することを特徴とする請求項２に記載の迅速に作動ヘッド交換並びに角度変化を可能としたスパナ。
【請求項８】
前記結合部に、収納孔の外端から突出する二つの鋼球があり、二つの鋼球の間に、前記二つの鋼球を付勢するようにスプリングが実装され、前記結合部を形成するため、前記二つの鋼球の外側の距離が、二つのアームの空間の幅より大きい幅寸法であることを特徴とする請求項７に記載の迅速に作動ヘッド交換並びに角度変化を可能としたスパナ。
【請求項９】
前記結合部に、スプリングと二つのブロックがあり、前記二つのブロックの外端が、突出状で、内端に凹槽があり、前記スプリングが、前記二つのブロックの間に位置するように、前記二つのブロックの凹槽に設けられることを特徴とする請求項７に記載の迅速に作動ヘッド交換並びに角度変化を可能としたスパナ。
【請求項１０】
前記結合部が設置されていない連接部に、前記結合部に対応する凹部が設けられることを特徴とする請求項１に記載の迅速に作動ヘッド交換並びに角度変化を可能としたスパナ。
【請求項１１】
前記結合部に、更に、前記凹部から前記連接部の端縁まで連通するように案内槽が設けられることを特徴とする請求項１０に記載の迅速に作動ヘッド交換並びに角度変化を可能としたスパナ。
【請求項１２】
一端に連接部があるグリップと、
それぞれ、作動部と連接部とがあり、前記連接部が、前記グリップの連接部と互いに嵌合できる形状である１組の交換のための作動ヘッドと、
分離できるように前記作動ヘッドの連接部と前記グリップの連接部とに設けられる結合部と、
前記結合部を固定することにより、前記作動ヘッドが、前記グリップから脱離せずに、前記結合部を弛めることにより、前記作動ヘッドを交換できるように前記グリップに設置される制御部と、
を備えていることを特徴とする迅速に作動ヘッド交換並びに角度変化を可能としたスパナ。
【請求項１３】
前記二つの連接部は、一つが、二つのほぼ並行のアームと前記二つのアームの間に位置する空間があるほぼ凹字状のブロックで、もう一つが、上記の空間に嵌入できるほぼ凸字状の柱体であることを特徴とする請求項１２に記載の迅速に作動ヘッド交換並びに角度変化を可能としたスパナ。
【請求項１４】
前記制御部は、少なくとも、迅速離脱棒があり、前記迅速離脱棒に、凹部と前記凹部の一側に位置する斜面があることを特徴とする請求項１２に記載の迅速に作動ヘッド交換並びに角度変化を可能としたスパナ。
【請求項１５】
前記結合部は、鋼球であることを特徴とする請求項１４に記載の迅速に作動ヘッド交換並びに角度変化を可能としたスパナ。
【請求項１６】
前記グリップの連接部は、二つのアームと前記二つのアームの間に位置する空間があり、前記二つのアームに、前記結合部が実装される収納孔が設けられ、前記二つのアームの後方に、斜めに前記収納孔まで延ばして前記快速脱離棒が実装される貫通孔が設けられることを特徴とする請求項１４に記載の迅速に作動ヘッド交換並びに角度変化を可能としたスパナ。
【請求項１７】
前記制御部は、更に、前記斜面が前記結合部に対応する前記迅速離脱棒の初期位置を決めるように作用する少なくとも一つのスプリングがあることを特徴とする請求項１４に記載の迅速に作動ヘッド交換並びに角度変化を可能としたスパナ。
【請求項１８】
前記制御部は、更に、前記グリップに固定されるベースがあり、前記ベースに、一端が前記連接部に連通する貫通孔があり、前記迅速離脱棒が、前記ベースと連接部との貫通孔に収納され、前記迅速離脱棒の一端が、前記ベースから延出し、前記スプリングが、前記ベースの貫通孔に収納されることを特徴とする請求項１４に記載の迅速に作動ヘッド交換並びに角度変化を可能としたスパナ。
【請求項１９】
前記制御部は、更に、前記迅速離脱棒の一端に設置される押え板があることを特徴とする請求項１８に記載の迅速に作動ヘッド交換並びに角度変化を可能としたスパナ。
【請求項２０】
前記制御部は、凹部と前記凹部の一側に位置する斜面を有する迅速離脱棒と、前記結合部と前記迅速離脱棒との間に位置する複数の鋼球とがあることを特徴とする請求項１２に記載の迅速に作動ヘッド交換並びに角度変化を可能としたスパナ。
【請求項２１】
前記グリップの連接部は、結合部が実装されるピンホールと、迅速離脱棒が実装される貫通孔と、両端がそれぞれ前記ピンホールと前記貫通孔に連通され複数の鋼球が実装される連接孔と、が設けられることを特徴とする請求項２０に記載の迅速に作動ヘッド交換並びに角度変化を可能としたスパナ。
【請求項２２】
グリップの連接部のほぼ凹字状の空間の底部の中心付近に、スプリングと鋼球が実装される孔が形成され、前記迅速離脱棒に凹槽が設けられ、前記迅速離脱棒が、前記鋼球が前記凹槽に対するように変位すると、前記鋼球が、前記凹槽に入り、前記迅速離脱棒が定位されることを特徴とする請求項２１に記載の迅速に作動ヘッド交換並びに角度変化を可能としたスパナ。
【請求項２３】
前記結合部はピンであり、前記迅速離脱棒を押すと、鋼球が、前記迅速離脱棒の凹部に位置し、この時、ピンに圧力が印加されていないため、ピンを外して作動ヘッドを交換できることを特徴とする請求項２０に記載の迅速に作動ヘッド交換並びに角度変化を可能としたスパナ。
【請求項２４】
前記結合部はピンであり、前記ピンには凹槽があり、前記迅速離脱棒を放すと、鋼球が前記迅速離脱棒の斜面により押し出されて結合部の凹槽に嵌合し、前記作動ヘッドがロックされて固定されることを特徴とする請求項２０に記載の迅速に作動ヘッド交換並びに角度変化を可能としたスパナ。
【請求項２５】
前記制御部は、カムと、前記カムと前記結合部の間に位置する複数の鋼球とを有し、各端の鋼球が、それぞれ、前記結合部と前記カムに当接することを特徴とする請求項１２に記載の迅速に作動ヘッド交換並びに角度変化を可能としたスパナ。
【請求項２６】
前記カムを回転すると、カムの凹凸部により、前記鋼球が凹部に位置したり或いは凸部により押し出されることで、前記結合部が解放されるたり、或いはロック状態に固定され、迅速に作動ヘッドを交換できることを特徴とする請求項２５に記載の迅速に作動ヘッド交換並びに角度変化を可能としたスパナ。
【請求項２７】
前記グリップの連接部には、前記カムを実装する孔が設けられ、側面に、結合部が実装されるピンホールが設けられ、また、両端が、それぞれ、前記孔と前記ピンホールに連接する連通孔が設けられ、前記連通孔に、複数の鋼球が実装されることを特徴とする請求項２５に記載の迅速に作動ヘッド交換並びに角度変化を可能としたスパナ。
【請求項２８】
前記結合部は、鋼球であることを特徴とする請求項２５に記載の迅速に作動ヘッド交換並びに角度変化を可能としたスパナ。
【発明の詳細な説明】
【技術分野】
【０００１】
本発明は、手動工具に関し、特に、迅速に作動ヘッド交換並びに角度変化を可能としたスパナに関する。
【背景技術】
【０００２】
従来一般に市販されているスパナは、双開口スパナや双眼鏡スパナ、複合スパナ、ラチェットレンチ、箱スパナ、自在スパナ等があり、一部の用途は共通であるが、それぞれ異なった用途に使用されるものも多い。
【０００３】
複合スパナは単一のサイズのボルト（或いは、ナット）を回転できるだけなので、複数のサイズのボルトに対応するために、一般には、ツールボックス内には数多くの複合スパナ（或いは、双開口スパナや双眼鏡スパナ或いはラチェットレンチ）を収納している。また、その大部分は、二つの作動端（Drive-ended）と握り部とが一体に成型され、作動端を交換することができない構成のものである。
【０００４】
一般の箱スパナには、ラチェットレンチと、若干数の異なるサイズの箱スパナヘッドとが含有されている。前記ラチェットレンチには、異なるサイズの箱スパナヘッドを取り付け交換するための四方形の作動端があり、これにより、異なるサイズのボルト（或いは、ナット）を回転できるようになる。
しかしながら、螺着部品が実装された空間（例えば、エンジンに螺着部品を実装するための空間が小さくなる）では、その使用が制限されることが多い。。
【０００５】
上記の問題を解決するための策として、スパナの作動端と箱スパナヘッドとの間に自在継手（Universal joint）が増設されるが、操作が不便であり、或いはまた、自在ソケット（Universal sockets）を直接嵌合することもできるが、コストが高いため、実用的ではない。
また、箱スパナヘッドの外観が封止型であるため、パイプに連接される六角ジョイントが使用できない。
【０００６】
自在スパナは、可動顎を調整することにより、顎と可動顎の間の距離を固定でき、そして、設定されたサイズの範囲のボルト（或るいは、ナット）を回転できる。
【０００７】
従来のスパナは、作動ヘッドの角度を変更できるものや特定の角度に固定できるものがあり、例えば、米特許第Ｄ５０６,３７３Ｓ号や第４,５８１,９５９号、第５,７６８,９６０号、第６,２９５,８９８号、第６,０００,３０２号、第５,１９９,３３５号、第４,７１１,１４５号、早期公開第２００４／０１４４２１９号及び台湾特許公告第４８３、３７１号等である。
しかしながら、上記の発明は、作動ヘッドの角度を変更できるものや、特定の角度に固定できるものであるが、迅速に作動ヘッドを交換することができない。
【０００８】
従来のスパナにおいて作動ヘッドを交換できるスパナとして、例えば、台湾特許公告第４８２,０６４号があり、その図１を参照すると、作動ヘッドを交換することはできるが、作動ヘッドはＺ軸方向において角度を変化することができない。
【０００９】
また、台湾特許公告第４９７,５２６号に、『前記ヘッドの嵌設部は、ほぼ円弧状で、…、ネジ杆を嵌設する長い円弧状の槽孔があり、…』が記載されているが、コストが高くて、作動ヘッドを交換することに時間が掛かり、そのため迅速に交換できず、また、大きい力を印加すると、ネジ杆は長弧状の槽孔内において角度の空転が発生する恐れがある。
【００１０】
また、台湾特許公告第４９７,５２５号に記載されるものは、作動ヘッドを交換できると共に、Ｚ軸方向において角度を変化できる構造であるが、両者が別体であるため、コストが高く、組立てに時間が掛かる等の問題がある。
【特許文献１】米特許第Ｄ５０６,３７３Ｓ号
【特許文献２】第４,５８１,９５９号
【特許文献３】第５,７６８,９６０号
【特許文献４】第６,２９５,８９８号
【特許文献５】第６,０００,３０２号
【特許文献６】第５,１９９,３３５号
【特許文献７】第４,７１１,１４５号
【特許文献９】早期公開第２００４／０１４４２１９号
【特許文献１０】台湾特許公告第４８３、３７１号
【特許文献１１】台湾特許公告第４８２,０６４号
【特許文献１２】台湾特許公告第４９７,５２６号
【特許文献１３】台湾特許公告第４９７,５２５号
【発明の開示】
【発明が解決しようとする課題】
【００１１】
本発明の主な目的は、迅速に作動ヘッド交換並びに角度変化を可能としたスパナを提供する。
【課題を解決するための手段】
【００１２】
本発明は、上記の目的を達成するため、一端に連接部があるグリップと、それぞれ、作動部と連接部とがあり、前記連接部が、前記グリップの連接部と互いに嵌合できる形状である１組の交換のための作動ヘッドと、分離できるように前記作動ヘッドの連接部と前記グリップの連接部とに設けられる結合部と、が含有され、これにより、前記作動ヘッドが、迅速に交換され、作動ヘッドが前記グリップに実装される時、結合部に回転軸が形成され、前記作動ヘッドが、前記回転軸を中心として、異なる角度に変化でき、螺着部品が実装された空間により制限されることを解消できる迅速に作動ヘッド交換並びに角度変化を可能としたスパナである。
【００１３】
本発明に係わる迅速に作動ヘッド交換可能且つ角度変化可能のスパナは、更に、前記グリップに制御部が設置されてもよい。前記制御部により前記結合部を固定すると、前記作動ヘッドが前記グリップから脱離することを防止でき、また、前記結合部を弛めることにより前記作動ヘッドを前記グリップから外すことができる。
【発明の効果】
【００１４】
本発明は上記構成としたので、コストが安価でかつ作動ヘッドの交換作業が短時間で行い得ると共に、大きい力を印加した場合であっても角度の空転が発生する恐れのない、迅速に作動ヘッド交換並びに角度変化を可能としたスパナを提供することができる。
【発明を実施するための最良の形態】
【００１５】
以下、本発明を実施するための実施例について図面を参照して説明する。
【実施例１】
【００１６】
図１及び図２は、本発明の第１の実施例を示すスパナ１であり、グリップ１０と、１組の交換用作動ヘッド３４とが示されている。
【００１７】
前記グリップ１０の一端には、ほぼＵ字状の形状をしたグリップ連接部１２が設けられており、他端には、オープン作動部１３が形成されている。
【００１８】
前記グリップ連接部１２には、二つのほぼ並行のアーム１４と、前記二つのアーム１４の間に位置する凹字状の空間１６が設けてある。前記二つのアーム１４には、それぞれ、対応するピンホール１８が設けられている。前記グリップ連接部１２のピンホール１８内に、鋼球２２とスプリング２４及びボルト２６をピンホール１８内に実装することにより形成される結合部２０が設けられている。
【００１９】
前記二つの鋼球２２は、一部が、前記ピンホール１８から凹字状の前記空間１６内に突出している。前記二つのスプリング２４は、それぞれ、前記二つの鋼球２２とボルト２６の間に介在して、前記二つの鋼球２２をピンホール１８から突出状態に維持するようになっている。
【００２０】
前記二つのピンホール１８の凹字状の空間１６に面する端面の口径が他の位置の口径よりやや小さいため、前記鋼球２２を、凹字状の空間１６に面する端面から出られないように外側から前記ピンホール１８に実装できる。
【００２１】
前記グリップ連接部１２には、凹字状の前記空間１６の凹字状底部にはスプリング挿入穴２８が設けられており、この挿入穴２８にスプリング３０と鋼球３２が実装され、これにより、常に作動ヘッド３４の後部に形成した作動ヘッド連接部３８に当接するようになる。
【００２２】
前記作動ヘッド３４は、作動部３６と作動ヘッド連接部３８とで構成されている。
そして、前記作動部３６は、サイズが異なる開口スパナや眼鏡スパナ、自在スパナ、ラチェットレンチ或いは他の類似するものであっても良い。
前記作動ヘッド連接部３８は柱体であり、幅が前記グリップ１０のグリップ連接部１２の凹字状の空間１６幅よりやや小さく形成されており、前記作動ヘッド３４の作動ヘッド連接部３８が、前記グリップ１０のグリップ連接部１２の凹字状の空間１６に装着できるようになっており、前記作動ヘッド連接部３８は、両側にそれぞれ、鋼球２２が確実に当接するための凹部４０と、凹部４０から作動ヘッド連接部３８の適当な端縁までの深さが前記凹部４０より小さい案内槽４２とが設けられる。
【００２３】
前記二つの案内槽４２によって案内することにより、作動ヘッド３４を迅速にグリップ１０に嵌合できる。この時、案内槽４２を前記結合部２０の鋼球２２に合わせて、作動ヘッド連接部３８を垂直的に或いは水平的に前記グリップ連接部１２の凹字状の空間１６に対して押しこむと、前記二つの鋼球２２が、前記二つの案内槽４２に沿って前記二つの凹部４０に入り込んで定位する。これにより、前記鋼球２２は安定的に前記凹部４０に定位できる。また、逆方向（前方）に引張ると、前記作動ヘッド３４が前記グリップ連接部１２の凹字状の空間１６より外される。これにより、迅速に作動ヘッド３４を交換できる機能が実現される。
【００２４】
作動ヘッド３４が前記グリップ１０に実装された場合、前記結合部２０は、作動ヘッド３４とグリップ１０とを結合する機能を発揮できる他に、作動ヘッド３４の回転軸として作用して、作動ヘッド３４を、回転軸の軸心に対して、図３に示すように角度変化させることができる。
【００２５】
ツールボックス内に、本発明のグリップ１０と、若干数の異なるサイズ及び形式の作動ヘッド３４を用意しておけば、ユーザーは必要とする所望の作動ヘッド３４を前記グリップ１０に実装すれば、所定のボルト（或いはナット）に対してねじ締め・緩め回転を行なうことができる。
【実施例２】
【００２６】
図４は、本発明の第２の実施例のスパナ２を示すものであり、その構成は、前述の第１の実施例のスパナ１と同じであるが、モジュール結合部４６において異なっている。前記モジュール結合部４６は、ベース４８とスプリング５０及び鋼球５２とで構成されており、前記ベース４８には、前記スプリング５０と前記鋼球５２とを実装するための凹槽５４が設けられている。前記モジュール結合部４６は、可動鋼球定位ロッドと称され、直接に市場から購入できるので、グリップ５６間の収納孔５８にそれぞれ螺着すれば良い。
その他の構成は、前述の第１の実施例のスパナ１と同じであるため詳細は省略する。
【実施例３】
【００２７】
図５は、本発明の第３の実施例を示すのスパナ３であり、その構成は、前述の第１の実施例のスパナ１と同じであるが、この実施例においては第１実施例の結合部２０の鋼球の代わりに、この実施例では結合部６０を先端が突出状であるブロック６２を使用するものである。前記ブロック６２の後端には、スプリング６６の端部を収納するための凹槽６４が形成されているものを使用した点で相違している。
その他の構成は、前述の第１の実施例のスパナ１と同じであるため詳細は省略する。
【実施例４】
【００２８】
図６は、本発明の第４の実施例を示すスパナ４であり、前述の第１の実施例のスパナ１とは作動部を変更した点で相違するものである。
第４実施例のスパナ４は、両端にそれぞれ、グリップ連接部７０が設けられた構成のグリップ６８からなり、前記グリップ連接部７０は、柱体に形成されており、結合部７４が設けられるための収納孔７２が設けられている。
【００２９】
前記結合部７４は、スプリング７６と二つの鋼球７８を有し、前記二つの鋼球７８は、一部が、前記収納孔７２の両端から外方に突出し、前記スプリング７６は、前記収納孔７２に収納され、両端が、それぞれ、前記二つの鋼球７８に当接している。
前記グリップ６８のグリップ連接部７０は、それぞれ、作動ヘッド８０の並行のアーム８４間に配設結合される。
前記作動ヘッド８０は、前記グリップ６８のグリップ連接部７０に対応する形状である作動ヘッド連接部８２を有し、前記作動ヘッド８０の作動ヘッド連接部８２は、二つの並行のアーム８４があり、対応する内面側にそれぞれ凹部８６と案内槽８８が設けられている。
【００３０】
また、前記二つのアーム８４の間に凹字状の空間９０が形成されており、前記凹字状の空間９０の底部に、スプリング９４と鋼球９６を実装するためのスプリング穴９２が設けられている。作動ヘッド８０を前記グリップ６８に結合する方式は、前述の実施例と同様であるので詳細な説明は省略する。
【実施例５】
【００３１】
図７は、本発明の第５実施例のスパナ５を示すものであり、グリップ９８の一端にグリップ連接部１００が設けられたもので、グリップ連接部１００には、二つの鋼球からなる結合部１０２が設けられている。
【００３２】
前記グリップ連接部１００は、それぞれ前記二つの鋼球１０２を実装するためのピンホール１０６が形成された二つの並行のアーム１０４が形成されている。
また、前記グリップ連接部１００は、前記二つのアーム１０４の後方に、それぞれ、斜めに上面から前記二つのピンホール１０６を通してアーム１０４の円弧端面を貫通する二つの穴１０８が形成されるとともに、グリップ連接部１００の底面から上面まで貫通してグリップ連接部１００とベース１１６を固定するためのボルト１２８が貫設される二つの固定孔１１０が設けてある。
作動ヘッド１１２（図には、一つしか表示していない）の構造は、第１の実施例の作動ヘッド３４と同じで、分離可能のように前記グリップ９８に実装できる。
【００３３】
本実施例のスパナ５は、更に、ベース１１６と二つの迅速離脱棒１１８、二つのスプリング１２０及び押え板１２２からなる制御部１１４を有している。
前記ベース１１６は、図８に示すように、上面から底面までの二つの斜めの貫通孔１２４と、底面に位置する二つのネジ穴（未表示）とが設けられている。前記ベース１１６は、前記グリップ連接部１００の二つの固定孔１１０を貫通する二つのボルト１２８を前記ベース１１６の二つのネジ穴に螺着することにより、グリップ連接部１００の上面に固定される。  
【００３４】
前記二つのスプリング１２０と迅速離脱棒１１８は、前記ベース１１６の貫通孔１２４に収納され、また、前記二つの迅速離脱棒１１８は、大口径端が、それぞれ、前記ベース１１６の上面から伸び出し、小口径端が、前記グリップ連接部１００の斜め孔１０８の中に位置する。
【００３５】
前記押え板１２２は、前記二つの迅速離脱棒１１８の大口径端に固定され、前記押え板１２２を押すことにより、前記二つの迅速離脱棒１１８が変位し、また、前記二つのスプリング１２０により、前記押え板１２２から手を放すと、前記二つの迅速離脱棒１１８が元の位置に復帰する。
前記二つの迅速離脱棒１１８は、それぞれ、凹部１３０が設けられ、前記凹部１３０の一側に斜面１３２が設けてある。
【００３６】
前記作動ヘッド１１２を交換する時、ユーザーが、前記押え板１２２を押すことにより、前記二つの迅速離脱棒１１８は、前記二つの凹部１３０が前記二つの鋼球１０２に対応するまで下へ変位し、この時、前記二つの鋼球１０２は、何れかの弾力をも受けず、容易に前記二つのピンホール１０６に退避でき（図９を参照）、そのため、簡単に元の作動ヘッド１１２を外して他の作動ヘッドを実装することができる。
【００３７】
前記押え板１２２を外すと、前記二つのスプリング１２０により、前記二つの迅速離脱棒１１８が上へ押され、そのため、前記二つの鋼球１０２が、前記二つの斜面１３２に沿って押し出され、そして、前記作動ヘッド１１２に当接してロックし（Ｌｏｃｋｉｎｇ）（図８を参照）、これにより、前記作動ヘッド１１２は、前記グリップ連接部１００に結合固定される。
【実施例６】
【００３８】
図１０及び図１１は、本発明の第６実施例のスパナ６を示すものであり、グリップ１３４と交換のための作動ヘッド１３６（図には、一つの作動ヘッドしか表示していない）とを備えている。
【００３９】
前記グリップ１３４の一端は、二つのアーム１４０と前記二つのアーム１４０の間に位置する凹字状の空間１４２を有するグリップ連接部１３８が設けられている。
前記二つのアーム１４０は、Ｙ軸方向に、それぞれ、同一中心を有するピンホール１４４が形成されている。前記グリップ連接部１３８は、前記二つのアーム１４０の右側に、前記二つのピンホール１４４にほぼ平行するＹ軸方向の貫通孔１４６が形成され、また、一つのアーム１４０に、ピンホール１４４と貫通孔１４６に連通するＸ軸方向の連接孔１４８が形成されている。
また、凹字状空間１４２の底部の中心付近に、鋼球１５２とスプリング１５４が実装されるための孔１５０が形成され、前記鋼球１５２が迅速離脱棒１６４の凹槽１７２に嵌合する。
結合部１５６は、前記グリップ１３４のグリップ連接部１３８のピンホール１４４と前記作動ヘッド１３６上の貫通孔１５８に挿入するピンであり、これにより、前記作動ヘッド１３６が前記グリップ１３４に結合される。前記結合部１５６は、前記連接孔１４８に対応する位置に、凹槽１６０が設けられている。
【００４０】
本実施例において、連接孔１４８は、五つの鋼球１６２１〜１６２５が実装される。前記貫通孔１４６は、迅速離脱棒１６４とスプリング１６６が実装され、前記迅速離脱棒１６４は、凹部１６８と前記凹部１６８に連接する斜面１７０及び凹槽１７２が形成されている。
【００４１】
作動ヘッド１３６がグリップ１３４に実装された場合、迅速離脱棒１６４が押されていない時、図１０のように、前記快速離脱棒１６４は、前記斜面１７０の上端付近で前記鋼球１６２１に当接することにより、もう一端の鋼球１６２５が、前記連接孔１４８から押し出されて、結合部１５６の凹槽１６０に入る。これにより、前記結合部１５６は、前記鋼球１６２５による係止により、離脱することがない。
【００４２】
また、前記迅速離脱棒１６４を下へ押すと、前記迅速離脱棒１６４の凹槽１７２が、前記鋼球１５２の位置に変位し、これにより、前記鋼球１５２が、前記凹槽１７２に入って定位の作用を発揮し、また、前記迅速離脱棒１６４のもう一端が、前記貫通孔１４６から外へ突出する。この時、前記迅速離脱棒１６４の凹部１６８が、前記鋼球１６２１の位置に変位し、これにより、前記鋼球１６２１〜１６２５が退避でき、そのため、前記鋼球１６２５が、前記結合部１５６の凹槽１６０から離脱でき、図１１のようになり、これにより、前記結合部１５６を引き出すと、前記作動ヘッド１３６を外すことができる。
【００４３】
作動ヘッド１３６を交換する時には、前記結合部１５６を前記グリップ１３４と前記作動ヘッド１３６の貫通孔１５８に挿入し、そして、前記迅速離脱棒１６４の他端を押すとに、前記鋼球１５２が前記迅速離脱棒１６４の凹槽１７２から離脱する。そして、前記スプリング１６６により、前記迅速離脱棒１６４が元の位置に復帰し、図１０のようになる。この時、前記鋼球１６２１が前記斜面１７０によって押されて、他端の鋼球１６２５が押し出され、前記結合部１５６の凹槽１６０に入り、そのため、前記結合部１５６が固定される。
【００４４】
何れの状態でも、前記右側に位置する鋼球１６２１の一部が常に前記凹部１６８に位置しているので、これにより、前記迅速離脱棒１６４が前記貫通孔１４６から脱落することを防止する。
【実施例７】
【００４５】
本発明の第７実施例のスパナ７は、図１２及び図１３のように、一端にＵ文字状のグリップ連接部１７６が設けられるグリップ１７４を備えている。
【００４６】
前記グリップ連接部１７６は、二つのアーム１７８に、それぞれ、鋼球である結合部１８２を実装するためのピンホール１８０が形成されている。前記グリップ連接部１７６は、前記二つのアーム１７８の右側に、Ｙ軸方向の貫通孔１８４が形成され、また、各アーム１７８に、Ｘ軸方向の連接孔１８６が形成されている。前記二つの連接孔１８６は、貫通孔１８４とピンホール１８０とに連通している。
また、グリップ連接部１７６の上側に、貫通孔１８４に対して垂直に連通する孔１８８が形成されている。前記孔１８８は、操作により回転できるようにカム１９６が設けられている。
【００４７】
前記貫通孔１８４は、両端がそれぞれボルト１９０により封止され、前記二つの連接孔１８６と前記貫通孔１８４の間に連通孔１９２が形成されている。前記連通孔１９２には、若干数の鋼球１９４が実装されており、最外端の鋼球は、それぞれ、前記二つの結合部１８２と前記カム１９６の両端に当接している。
【００４８】
前記カム１９６が回転されて、凸部２０２が鋼球１９４に当接すると、図１２に示すように、前記鋼球１９４が所定の距離を外へ変位し、前記二つの結合部１８２が押されて、ピンホール１８０の内側に突出し、これにより、前記作動ヘッド２００が係止固定される。
【００４９】
また、前記カム１９６が回転されて凹部１９８が鋼球１９４に面すると、図１３のように、前記鋼球１９４が、所定の距離を内へ変位して、凹部１９８に当接し、これにより、前記二つの結合部１８２が、それぞれ、ピンホール１８０の両外側へ移動して、作動ヘッド２００の凹部２０３に対して印加した圧力が解除される。この時、作動ヘッド２００が、自在に交換できる。
【図面の簡単な説明】
【００５０】
【図１】本発明の迅速に作動ヘッド交換並びに角度変化を可能としたスパナの第１実施例を示す分解斜視図。
【図２】本発明の第１実施例の使用状態を示す要部の平面図。
【図３】本発明の第１実施例の使用状態を示す作動ヘッドが回転する時の状態図。
【図４】本発明の迅速に作動ヘッド交換並びに角度変化を可能としたスパナの第２実施例を示す要部の分解平面図。
【図５】本発明の迅速に作動ヘッド交換並びに角度変化を可能としたスパナの第３実施例を示す要部の分解平面図。
【図６】本発明の迅速に作動ヘッド交換並びに角度変化を可能としたスパナの第４実施例を示す要部の分解平面図。
【図７】本発明の迅速に作動ヘッド交換並びに角度変化を可能としたスパナの第５実施例を示す要部の分解斜視図。
【図８】本発明の第５実施例の要部の平面図で、制御部が結合部にロックされていない時の状態図。
【図９】本発明の第５実施例の要部の平面図で、制御部が結合部にロックされる時の状態図。
【図１０】本発明の第６実施例の要部の一部断面して示す平面図で、制御部が結合部にロックされる時の状態図。
【図１１】本発明の第６実施例の要部の一部断面して示す平面図で、制御部が結合部にロックされていない時の状態図。
【図１２】本発明の第７実施例の要部の一部断面して示す平面図で、制御部が結合部にロックされる時の状態図。
【図１３】本発明の第７実施例の一部断面して示す平面図で、制御部が結合部にロックされていない時の状態図。
【符号の説明】
【００５１】
１        スパナ     
１０      グリップ
１００    グリップ連接部
１０２    結合部
１０４    アーム
１０６    ピンホール
１０８    孔
１１０    固定孔
１１２    作動ヘッド
１１４    制御部
１１６    ベース
１１８    迅速離脱棒
１２      グリップ連接部
１２０    スプリング
１２２    押え板
１２４    貫通孔
１２８    ボルト     
１３      オープン作動部
１３０    凹部
１３２    斜面
１３４    グリップ
１３６    作動ヘッド
１３８    グリップ連接部
１４      アーム
１４０    アーム
１４２    空間
１４４    ピンホール
１４６    貫通孔
１４８    連接孔
１５０    孔
１５２    鋼球
１５４    スプリング
１５６    結合部
１５８    貫通孔
１６      空間
１６０    凹槽
１６２１〜１６２５    鋼球
１６４    快速離脱棒
１６６    スプリング
１６８    凹部
１７０    斜面
１７２    凹槽       
１７４    グリップ
１７６    グリップ連接部
１７８    アーム
１８      ピンホール
１８０    収納孔
１８２    結合部
１８４    貫通孔
１８６    連接孔
１８８    孔
１９０    ボルト
１９２    連通孔
１９４    鋼球
１９６    カム
１９８    凹部
２        スパナ
２０      結合部
２００    作動ヘッド
２０１    作動ヘッド連接部
２０２    凸部
２０３    凹部
２２      鋼球
２４      スプリング
２６      ボルト
２８      スプリング挿入穴
３        スパナ
３０      スプリング
３２      鋼球
３４      作動ヘッド
３６      作動部
３８      作動ヘッド連接部
４        スパナ
４０      凹部
４２      案内槽
４６      モジュール結合部
４８      ベース
５        スパナ
５０      スプリング
５２      鋼球
５４      凹槽
５６      グリップ
５８      収納孔
６        スパナ
６０      結合部
６２      ブロック
６４      凹槽
６６      スプリング
６８      グリップ
７        スパナ
７０      グリップ連接部
７２      収納孔
７４      結合部
７６      スプリング
７８      鋼球
８０      作動ヘッド
８２      作動ヘッド連接部
８４      アーム
８６      凹部
８８      案内槽
９０      空間
９２      スプリング穴
９４      スプリング
９６      鋼球
９８      グリップ
【図１】
2007130752.tif 000003
【図２】
2007130752.tif 000004
【図３】
2007130752.tif 000005
【図４】
2007130752.tif 000006
【図５】
2007130752.tif 000007
【図６】
2007130752.tif 000008
【図７】
2007130752.tif 000009
【図８】
2007130752.tif 000010
【図９】
2007130752.tif 000011
【図１０】
2007130752.tif 000012
【図１１】
2007130752.tif 000013
【図１２】
2007130752.tif 000014
【図１３】
2007130752.tif 000015